(57)【特許請求の範囲】
【請求項１】
鉛直な回動軸線を有する障子の自由側端縁の長さ方向に沿って配設、固定された複数の係止ローラーと、窓閉鎖時障子の自由側端縁に対向する窓枠の縦長の内面に沿って配設され、対応する係止ローラーに外側から係合する鉛直な係止端縁及びこれに連設された傾斜端縁を有する複数のカマと、これら複数のカマを相互に連結し、窓枠の内面に沿って上下方向に移動可能に案内された連結ロッドと、中央部を窓枠の内面に回動自在に支承され、一端が外方に付勢された少なくとも１個のトリガーとを有し、このトリガーの近傍におけるカマに係止突部を形成し、障子開放時トリガーの他端がこの係止突部の移動軌跡に干渉するようにこれらの形成位置を設定すると共に、少なくとも１個のカマを窓枠の室内側に設けられた操作部材に連結し、以て、障子開放時操作部材を操作しても連結ロッドが動かないようにして係止ローラーとカマとの衝突を防ぎ、一方、障子閉鎖時、係止ローラーがトリガーの一端部を押動してトリガーの他端をカマの係止突部の移動軌跡から退避させることにより、トリガーによって拘束されていたカマを解放して操作部材によるカマの移動を可能にし、また、障子閉鎖時、上記操作部材によりカマの傾斜端縁を障子に固設された係止ローラーに近接する方向に移動させ、カマの傾斜端縁と係止ローラーとの間に生じる楔作用により障子全体を窓枠に引寄せると共に、カマの傾斜端縁に連設された係止端縁に係止ローラーを係合させることにより、障子を窓枠に安定に係止するようにしたことを特徴とする窓のロック装置。
【発明の詳細な説明】
【０００１】
【発明の属する技術分野】
この発明は、通常の蝶番に支持された窓、縦滑り出し窓或いはドレーキップ窓等の窓のロック装置（以下単にロック装置という）に係り、特に、障子を窓枠に引き寄せる機能を有し、作動が確実なロック装置に関する。
【０００２】
【従来の技術】
通常、ロック装置は、窓の自由側端縁に係止ピンを植設し、窓枠側に鈎形のロック部材を揺動可能に設け、障子閉鎖後このロック部材を係止ピンに引っ掛ける方向に回動させて両者を係合させることにより窓をロックする。
【０００３】
或いは、アルミサッシ窓では、閉鎖時障子の自由端縁に対向する窓枠に沿って上下方向に移動可能に案内された連動杆を設け、この連動杆によって複数のロック部材を同時に作動させるように構成されているものもある。
【０００４】
【発明が解決しようとする課題】
上記のように構成された従来の窓のロック装置は、作動を円滑にしようとすれば係止ピンとロック部材との間に多少の隙間を設けなければならず、その為窓を閉鎖したとき少し窓がガタつくという不都合がある。
【０００５】
また、窓開放時に誤ってロック部材を作動位置にまで回動させ、それを知らずに窓を閉めると、係止ピンとロック部材とが衝突して不愉快な騒音や振動が発生する、という不都合もある。
【０００６】
そこで、この発明は、障子を窓枠に引き寄せる機能を有し、窓の閉鎖時障子と窓枠との間にガタがなく、しかも作動が確実な窓のロック装置を提供し、もって上記した不都合を解消することを目的としている。
【０００７】
【課題を解決するための手段】
上記の目的を達成するため、この発明は、鉛直な回動軸線を有する障子の自由側端縁の長さ方向に沿って配設、固定された複数の係止ローラーと、窓閉鎖時障子の自由側端縁に対向する窓枠の縦長の内面に沿って配設され、対応する係止ローラーに外側から係合する鉛直な係止端縁及びこれに連設された傾斜端縁を有する複数のカマと、これら複数のカマを相互に連結し、窓枠の内面に沿って上下方向に移動可能に案内された連結ロッドと、中央部を窓枠の内面に回動自在に支承され、一端が外方に付勢された少なくとも１個のトリガーとを有し、このトリガーの近傍におけるカマに係止突部を形成し、障子開放時トリガーの他端がこの係止突部の移動軌跡に干渉するようにこれらの形成位置を設定すると共に、少なくとも１個のカマを窓枠の室内側に設けられた操作部材に連結し、以て、障子開放時操作部材を操作しても連結ロッドが動かないようにして係止ローラーとカマとの衝突を防ぎ、一方、障子閉鎖時、係止ローラーがトリガーの一端部を押動してトリガーの他端をカマの係止突部の移動軌跡から退避させることにより、トリガーによって拘束されていたカマを解放して操作部材によるカマの移動を可能にし、また、障子閉鎖時、上記操作部材によりカマの傾斜端縁を障子に固設された係止ローラーに近接する方向に移動させ、カマの傾斜端縁と係止ローラーとの間に生じる楔作用により障子全体を窓枠に引寄せると共に、カマの傾斜端縁に連設された係止端縁に係止ローラーを係合させることにより、障子を窓枠に安定に係止するようにしたことを特徴とする。
【０００８】
【実施例】
以下、図面を参照してこの発明について説明する。
図１において符号１は窓の障子の自由端部を示し、この障子１の回動中心（図示せず）は遥か右方にあって、障子１は窓閉鎖時矢印Ａ方向に移動して図１に示すように閉鎖される。
【０００９】
この障子１の自由側端縁には、図１及び図２に示すように、その長さ方向（上下方向）に沿って複数（図示の実施例では２個）の係止ローラー２、２が配設され固定されている。
【００１０】
図示の実施例では、各係止ローラー２は、図３に示すように、縦長の取付け板３に装着され、この取付け板３を介して障子１の自由側端縁にねじ止めされている。
【００１１】
ちなみに、窓の閉鎖時障子１の自由側端縁は図１で矢印Ａ方向に移動するから、係止ローラー２は図２で矢印Ｂ方向に移動し、障子が完全に閉った状態では図２に鎖線で示す位置にある。
【００１２】
一方、前記窓枠４（図１参照）の窓閉鎖時障子１の自由側端縁と対向する縦長の内面５（図１参照）には、上記２個の係止ローラー２、２の夫々に対応して、図２に示すように、上部引き寄せ機構６及び下部引き寄せ機構７が夫々配設されている。
【００１３】
説明の都合上下部引き寄せ機構７について先に説明すると、この下部引き寄せ機構７は、図１に示すように断面コ字形の縦長のスペーサー８を介して窓枠の内面にねじ止めされたケース９（図２参照）を有している。
【００１４】
このケース９は、図２と及び図４に示すように、厚板を折曲げて一面が開き、側面を切り欠いたケース本体１１の一面に裏板１２をかしめ付けて略箱状に成形されている。
【００１５】
このケース９内には、全体の形状がし字形の第１カマ１３が収納され、上下方向に移動可能に案内されている。
【００１６】
図示の実施例では、ケース９を貫通するようにして上下方向に配設された一対の案内ピン１４、１４に、これも上下方向に沿って配設された一対の縦長の案内長孔１５、１５を摺動可能に係合させることにより、第１カマ１３が上下方向に移動可能に案内されている。
【００１７】
この第１カマ１３の下端縁部には、全体の形状が逆Ｌ字形の引き寄せブレード１５が一体に形成されており、この引き寄せブレード１５はケース９の側面の切欠部を挿通して外方に延伸している。
【００１８】
また、この引き寄せブレード１５の室内側には鉛直な係止端縁１６が、更にまた、この係止端縁１６の上方には傾斜端縁１７が連設されている。
【００１９】
この傾斜端縁１７は、図２に示すように、下端が係止端縁に接続され、上端が外方になるように傾斜している。
【００２０】
一方、図１及び図２に示すように、ケース９の上方の案内ピン１４には障子１に垂直（図１で上下方向）な前後方向に延在する操作レバー１８が回動自在に支承されている。
【００２１】
そして、この操作レバー１８の外端部（図２で右端）に植設された操作ピン１９が第１カマ１３の外端縁に形成されたＵ字形の係合溝２１と係合している。
【００２２】
また、操作レバー１８の室内側の内端部には摘み２２が一体的に装着されており、この摘み２２を手指で上げ下げすることにより第１カマ１３をケース９内で上下動させることができる。
【００２３】
図示の実施例では、図１及び図２に示すように、摘み２２と窓枠４との間に円盤の一部をなす摘みガイド２３が装着されている。
【００２４】
この摘みガイド２３は、摘み２２と扉枠４との間における操作レバー１８に無理な力が掛からないようにすると共に、摘み２２の案内装置を兼ねるもので、一体に結合された取付け箱２４を窓枠の室内側の開口に嵌め込むことによって窓枠４に装着される。
【００２５】
なお、図１及び図２において、符号２５は合成樹脂製の取付け箱２４に一体に形成された係止爪を示し、この係止爪２５は、取付け箱２４が窓枠の開口に嵌め込まれるとき弾性変形し、開口を潜り抜けた後図２に示すように突出して開口端縁の裏側と係合し、取付け箱２４を窓枠４に係止する。
【００２６】
上記した構成の操作レバー１８は、摘み２２を手指で操作して例えば約９０度図２で反時計方向に回動させれば、操作ピン１９と係合溝２１との係合を介して第１カマ１３及びこれと一体の引き寄せブレード１５を鎖線で示す位置にまで上昇させることができる。
【００２７】
このとき、ケース９内に弾装されたねじりコイルばねとしてのクリックばね２６の作用により、操作レバー１８の操作の始端と終端においてクリック感が生じる。
【００２８】
他方、図２に示すように、ケース９の下方の案内ピン１４によって細長い板状のトリガー２７の中央部が回動可能に支承されており、このトリガー２７の一端（図２で上端）は、ケース９の下方に弾装されたねじりコイルばねとしてのトリガーばね２８の弾力により、外方（右方）に付勢されている。
【００２９】
また、第１カマの下端には、図２に示すように、係止突部２９が形成されており、この係止突部２９は、図２に示す窓の開放時、トリガー２７の他端（下端）に衝接可能に臨んでいる。
【００３０】
上記した構成の下部引き寄せ機構７に対応して、図２に示すように、上方の係止ローラー２の近傍に上部引き寄せ機構６が設けられている。
【００３１】
この上部引き寄せ機構６は、前記引き寄せブレードと同じ構成の引き寄せブレード１５を形成した第２カマ３２そのものよりなり、この第２カマ３２及び前記第１カマ１３は連結ロッド３１により一体的に結合されている。
【００３２】
そして、この連結ロッド３１は、図１に示すように、窓枠の内面５に形成された付番しないガイド溝に嵌め込まれ、上下方向に移動可能に案内されている。
【００３３】
なお、上部及び下部引き寄せ機構６、７における係止端縁１６の形成位置は、図２に鎖線で示すように引き寄せブレード１５が上昇したとき、閉鎖位置にある障子１の係止ローラー２に接合するように設定されている。
【００３４】
上記のように構成されたこの発明の一実施例によるロック装置は、窓が開いているとき、すなわち障子が窓枠から離間しているときには、図２において係止ローラー２、２が遥か右方にある。
【００３５】
このときには、トリガー２７の一端（上端）はトリガーばね２８の弾力により外方に付勢されて実線で示す角度位置にあるので、摘み２２を押し下げてロック装置を作動させようとすると、第１カマ１３の係止突部２９がトリガー２７の他端に衝接する。
【００３６】
したがって操作レバー１８をそれ以上押し下げることができず、上部及び下部引き寄せ機構６、７の引き寄せブレード１５、１５が上昇しないので、窓の閉鎖時係止ローラー２が引き寄せブレード１５に衝突することを防止できる。
【００３７】
窓を閉めると、図２に示すように、障子の自由側端縁に設けられた係止ローラー２、２が引き寄せブレード１５の上端を乗り越えて、鎖線で示す閉鎖位置付近に移動する。
【００３８】
通常、気密を保持するため障子と窓枠との間にパッキン材（図示せず）を挿設するので、係止ローラー２は図２に鎖線で示す位置より僅か右方に位置する。
【００３９】
このとき、トリガー２７の一端は下方の係止ローラー２に押動されて内方に移動するから（図示せず）、トリガーの他端は外方に移動して第１カマの係止突部２９の移動軌跡から外れ、そのためこのロック装置が作動可能となる。
【００４０】
この状態で室内側から摘み２２を操作して操作レバー１８を図２で反時計方向に回動させると、前記したように、第１カマ１３及び連結ロッド３１を介して連結された第２カマ３２が一体的に上昇する。
【００４１】
すると、各引き寄せブレード１５の傾斜端縁１７が先ず対応する係止ローラー２に当接し、これらの間に生じる楔作用により、パッキン材の弾力に抗して係止ローラー１及びこれと一体の障子１が窓枠に引き寄せられる。
以降、引き寄せブレードの係止端縁１６が係止ローラー２と摺接しつつ、或いは係止ローラーを回転させつつ上昇し、図２に鎖線で示す位置にまで上昇して停止する。
【００４２】
このロック状態では、係止端縁１７が係止ローラー２から受ける反力は係止端縁に垂直に作用し、障子１を開けようとする外力に対して引き寄せブレードを下方に押し戻す分力が生じないので、障子を窓枠に安定に係止することができる。
【００４３】
窓を開けるときには、端に摘み２２を元の位置に戻せばよく、この場合図２に実線で示すようにカマの引き寄せブレード１５が係止ローラーの移動軌跡から退避するので、自由に障子を開けることができる。
【００４４】
【発明の効果】
以上の説明から明らかなように、この発明は、カマに傾斜端縁及び係止端縁を連設した引き寄せブレードを結合し、最初に傾斜端縁で障子の係止ローラーに係合させるようにしたので、これらの間に生じる楔作用により障子を窓枠に引き寄せることができる。
【００４５】
また、上記引き寄せ機能により障子を窓枠のパッキン材に押圧して係止するようにしたので、障子はパッキン材と係止端縁とに挟持されてガタつかない。
【００４６】
更にまた、窓閉鎖時係止ローラーに制御されるトリガーを設け、窓が閉鎖されないとカマが動かないようにしたので、窓閉鎖時における引き寄せブレードと係止ローラーとの衝突を防止することができる。
【００４７】
加えて、係止端縁の長さ及びカマの移動量を自由に設定できるので、例えば縦滑り出し窓のように障子の開度によって係止ローラーの窓枠に対する相対位置が大きく変化する窓にこの発明を適用するとき、カマの移動量を大きくすることによって、窓を完全に閉めなくても確実に係止ローラーを引き寄せブレードに係合させてロックすることができる、等種々の効果を奏する。
【図面の簡単な説明】
【図１】この発明の一実施例によるロック装置の要部の水平な切断面による断面図。
【図２】図１のＩＩ−ＩＩ線から見たロック装置の要部の正面図。
【図３】係止ローラーの側面図。
【図４】下部引き寄せ機構の側面図。
【符号の説明】
１  障子
２  係止ローラー
４  窓枠
５  内面
６  上部引き寄せ機構
７  下部引き寄せ機構
９  ケース
１３  第１カマ
１５  引き寄せブレード
１５  係止端縁
１７  傾斜端縁
１８  操作レバー
１９  操作ピン
２１  係合溝
２２  摘み
２７  トリガー
２９  係止突部
３１  連結ロッド
３２  第２カマ
【図１】
0004337068.tif 000002
【図２】
0004337068.tif 000003
【図３】
0004337068.tif 000004
【図４】
0004337068.tif 000005